(57)【特許請求の範囲】
【請求項１】
光源と、ＤＭＸ信号を送信する調光卓と、ＤＭＸ信号よりも低速である専用信号を送信する専用コントローラと、前記ＤＭＸ信号あるいは前記専用信号に応じて前記光源の光出力を制御する制御部と、前記調光卓あるいは前記専用コントローラと前記制御部とを接続するインターフェースとを備え、前記インターフェースは、前記ＤＭＸ信号あるいは前記専用信号を、前記ＤＭＸ信号よりも伝送速度が低速なディジタル信号に変換して前記制御部へと送信する機能を有するものである照明装置において、
前記インターフェースは、前記専用信号のみが入力されている時に前記専用信号が入力されなくなると、前記光源を点灯するものであることを特徴とする照明装置。
【請求項２】
前記インターフェースは、前記ＤＭＸ信号のみが入力されている時に前記ＤＭＸ信号が入力されなくなると、前記光源を消灯するものであることを特徴とする請求項１記載の照明装置。
【請求項３】
前記インターフェースは、前記ＤＭＸ信号が入力されなくなった後に前記専用信号が入力されなくなると、前記光源を点灯するものであることを特徴とする請求項１記載の照明装置。
【請求項４】
前記インターフェースは、前記専用信号が入力されなくなった後に前記ＤＭＸ信号が入力されなくなると、前記光源を消灯するものであることを特徴とする請求項１記載の照明装置。
【発明の詳細な説明】
【０００１】
【発明の属する利用分野】
本発明は照明装置に関するものであり、更に詳しくは、商業空間・宴会場などの演出照明に関する。
【０００２】
【従来の技術】
従来、宴会場などで演出照明を行なう場合は、調光卓を用いてそこから専用のＤＭＸ  ５１２と呼ばれる高速のデジタル信号（ＤＭＸ信号）で調光盤を制御し、調光盤より各負荷に対して負荷の本数だけ電力線を引き回していた。そのため、負荷が多いと電力線の数は莫大なものなり、施工も大変である、という第１の問題点が生じてしまう。
【０００３】
また、比較的狭い空間で簡単な施工で演出を行なう方法としては、本発明人出願の特願平８−１５４３９０号に示したものがあり、それは、専用コントローラから信号線のみの配線で器具内に設置した制御ブロックをコントロールし、器具内の光源を所定の順序で光量を変化させ演出効果を高めるものである。しかし、本方式では変化が一定であり複雑な演出ができず、更に、上述の調光卓とも接続ができず利用法が限定されてしまう、という第２の問題点が生じてしまう。
【０００４】
上記第２の問題点を解決する手段として、本発明人出願の特願平９−４１１７２号に示したものがあり、それは、調光卓のＤＭＸ５１２信号を解釈しＤＭＸ５１２信号よりも伝送速度が低速なディジタル信号に変換するインターフェース（以下、Ｉ／Ｆユニットと呼ぶ。）を設けたものである。この様に構成することにより、専用コントローラからの専用信号とＤＭＸ５１２信号との両方の信号が接続可能になり、利用範囲が広くなった。
【０００５】
【発明が解決しようとする課題】
しかし、本方式（特願平９−４１１７２号）では、Ｉ／Ｆユニットへの入力信号が動作途中で切断された場合や、途中で新たな信号がＩ／Ｆユニットへ入力された場合に、どのような制御したらよいかが明確になっておらず、変換後の信号が不定になって解釈不能の信号を出すことが生じてしまい、例えば、器具が消灯すべきところでゆらぎ変化になったり全点灯してしまったりなど、利用者に不快感を与えてしまう、という第３の問題点が生じてしまう。また、Ｉ／Ｆユニットへの信号の入力の有無の判定などが明確になっておらず、入力信号が動作途中で切断された場合や、途中で新たな信号が入力された場合に、対処することができない、という第４の問題点も生じてしまう。
【０００６】
本発明は、上記全ての問題点に鑑みてなされたものであり、その目的とするところは、Ｉ／Ｆユニットを備え、Ｉ／Ｆユニットへの入力信号が動作途中で切断された場合や、途中で新たな信号が入力された場合などの信号状態の変化に対応することができ、利用者に不快感を与えない照明装置を提供することである。
【０００７】
【課題を解決するための手段】
上記問題点を解決するために、請求項１記載の発明によれば、光源と、ＤＭＸ信号を送信する調光卓と、ＤＭＸ信号よりも低速である専用信号を送信する専用コントローラと、ＤＭＸ信号あるいは専用信号に応じて光源の光出力を制御する制御部と、調光卓あるいは専用コントローラと制御部とを接続するインターフェースとを備え、インターフェースは、ＤＭＸ信号あるいは専用信号を、ＤＭＸ信号よりも伝送速度が低速なディジタル信号に変換して制御部へと送信する機能を有するものである照明装置において、インターフェースは、前記専用信号のみが入力されている時に前記専用信号が入力されなくなると、前記光源を点灯するものであることを特徴とする。
【００１０】
請求項２記載の発明によれば、インターフェースは、ＤＭＸ信号のみが入力されている時にＤＭＸ信号が入力されなくなると、光源を消灯するものであることを特徴とする。
【００１２】
請求項３記載の発明によれば、インターフェースは、ＤＭＸ信号が入力されなくなった後に専用信号が入力されなくなると、光源を点灯するものであることを特徴とする。
【００１３】
請求項４記載の発明によれば、インターフェースは、専用信号が入力されなくなった後にＤＭＸ信号が入力されなくなると、光源を消灯するものであることを特徴とする。
【００１７】
【実施の形態】
本発明に係る基本構成のブロック図を図１に示す。１は専用コントローラ、２は調光卓、３はＩ／Ｆユニット、４は照明器具、５は制御部（以下、制御ブロックと呼ぶ。）、６は光源を示す。専用コントローラ１は、比較的低速なデジタル信号（ＤＭＸ信号よりも低速である専用信号）を送出し、該専用信号により制御ブロック５を制御して光源６を所定制御で変化させる。調光卓２は、ＤＭＸ５１２の高速デジタル信号（ＤＭＸ５１２信号）を送出し、該高速デジタル信号は、Ｉ／Ｆユニット３によって解釈されて制御ブロック５に送出される。ＤＭＸ５１２信号は、Ｉ／Ｆユニット３によって設定された所定のチャンネルから必要チャンネルのみを解釈し、他のチャンネルは無視されるように設定されている。
【００１８】
なお、専用コントローラ１及びＩ／Ｆユニット３の間を伝送される信号と、Ｉ／Ｆユニット３及び制御ブロック５の間を伝送される信号とは、同一の信号であっても別の信号であってもよい。また、Ｉ／Ｆユニット３に接続される制御ブロック５の台数は、必要に応じて変えればよい。更に、制御ブロック５の設置場所は、照明器具４内に限定するものではなく、制御ブロック５に接続される光源６の数も必要に応じて変えればよい。更にまた、設定チャンネルを変えたＩ／Ｆユニット３を複数接続することにより、もっと複雑な変化を行なうこともできる。
【００１９】
次に、入力される信号の有無の判定について簡単に説明する。なお、以下、信号１を専用信号、信号２をＤＭＸ５１２信号とするが、信号１と信号２とは、その用途によっては入れ換えてもよい。
【００２０】
専用信号とＤＭＸ５１２信号ともＩ／Ｆユニット３により一度受信し内容を解釈するが、それぞれの受信部において、所定回数解釈できない信号が続いた場合、それは信号なしと判断する。所定回数は信号の信頼性などにより設定すればよいが、ここでは、仮に５回分相当の時間に受信不能であれば信号なしとする。図２に示すフローチャートには、信号の有無による判定のアルゴリズム例を示す。図２に示すようなフローで常に監視することにより、信号の状態を判定でき、どのような信号の変化に対しても対応することが可能である。
【００２１】
以下、図２に示すフローチャートを参照し、本発明に係る実施の形態について説明する。
【００２２】
（実施の形態１）
本発明に係る第１の実施の形態の信号波形図を図３に示す。
【００２３】
本実施の形態は、信号１のみが入力され信号２は信号入力のない場合を示している。この場合、図３（ｃ）に示す様に、入力されている信号１の内容に従って制御ブロック５を制御する。
【００２４】
（実施の形態２）
本発明に係る第２の実施の形態の信号波形図を図４に示す。
【００２５】
本実施の形態は、信号２のみが入力され信号１は信号入力のない場合を示している。この場合、図４（ｃ）に示す様に、入力されている信号２の内容に従って制御ブロック５を制御する。
【００２６】
（実施の形態３）
本発明に係る第３の実施の形態の信号波形図を図５に示す。
【００２７】
本実施の形態は、信号１と信号２との双方が入力されている場合を示している。この場合、図５（ｃ）に示す様に、入力されている信号２を優先し信号２の内容に従って制御ブロック５を制御する。
【００２８】
（実施の形態４）
本発明に係る第４の実施の形態の信号波形図を図６に示す。
【００２９】
本実施の形態は、信号１と信号２との双方が入力されており且つ信号２で信号１を優先する設定をしてある場合を示している。この場合、信号２より信号１の内容を優先し信号１の内容に従って制御ブロック５を制御する。
【００３０】
（実施の形態５）
本発明に係る第５の実施の形態の信号波形図を図７に示す。
【００３１】
本実施の形態は、信号１が入力されており信号２が入力されてないときに、信号１が切断された場合を示している。このような場合は、上述の様に、比較的小規模な空間で利用されることが多いため、光源数もそれほど多くなく、信号が切断された場合、照明器具４の光源６としては点灯して利用者に不安を与えないことが大切になる。従って、図７（ｃ）に示す様に、信号１が入力されているときは信号１の内容に従って制御ブロック５を制御し、信号１が切断されると、照明器具４の光源６を全点灯させ、利用者に不安を与えない様にしている。
【００３２】
（実施の形態６）
本発明に係る第６の実施の形態の信号波形図を図８に示す。
【００３３】
本実施の形態は、信号１が入力されてなく信号２が入力されているときに信号２が切断された場合を示している。このような場合は、上述の様に、宴会場などの比較的大規模な空間で利用されることが多いため、照明器具４の光源６を点灯させると、瞬時に大電流が流れブレーカが落ちるなどの障害が発生する可能性がある。従って、図８（ｃ）に示す様に、信号２が入力されているときは信号２の内容に従って制御ブロック５を制御し、信号２が切断されると、照明器具４の光源６を消灯させ、ブレーカが落ちるなどの障害の発生を防いでいる。
【００３４】
（実施の形態７）
本発明に係る第７の実施の形態の信号波形図を図９に示す。
【００３５】
本実施の形態は、信号１と信号２との双方が入力されているときに信号２が切断された場合を示している。このような場合は、図９（ｃ）に示す様に、信号１と信号２との双方が入力されているときは信号２の内容に従って制御ブロック５を制御し、信号２が切断されると、入力されている信号１の内容に従って制御ブロック５を制御することにより、利用者に不安を与えない様にしている。
【００３６】
（実施の形態８）
本発明に係る第８の実施の形態の信号波形図を図１０に示す。
【００３７】
本実施の形態は、信号１と信号２との双方が入力されているときに信号１が切断された場合を示している。このような場合は、図１０（ｃ）に示す様に、信号１と信号２との双方が入力されているときは信号２の内容に従って制御ブロック５を制御し、信号１が切断されると、入力されている信号２の内容に従って制御ブロック５を制御することにより、利用者に不安を与えない様にしている。
【００３８】
（実施の形態９）
本発明に係る第９の実施の形態の信号波形図を図１１に示す。
【００３９】
本実施の形態は、信号１と信号２との双方が入力されているときに、先ず信号２が切断され次に信号１が切断された場合を示している。このような場合は、図１１（ｃ）に示す様に、信号１と信号２との双方が入力されているときは信号２の内容に従って制御ブロック５を制御し、先ず信号２が切断されると、入力されている信号１の内容に従って制御ブロック５を制御し、次に信号１が切断されると、照明器具４の光源６を全点灯することにより、利用者に不安を与えない様にすると共に、ブレーカが落ちるなどの障害の発生を防いでいる。
【００４０】
（実施の形態１０）
本発明に係る第１０の実施の形態の信号波形図を図１２に示す。
【００４１】
本実施の形態は、信号１と信号２との双方が入力されているときに、先ず信号１が切断され次に信号２が切断された場合を示している。このような場合は、図１２（ｃ）に示す様に、信号１と信号２との双方が入力されているときは信号１の内容に従って制御ブロック５を制御し、先ず信号１が切断されると、入力されている信号２の内容に従って制御ブロック５を制御し、次に信号２が切断されると、照明器具４の光源６を消灯することにより、利用者に不安を与えない様にすると共に、ブレーカが落ちるなどの障害の発生を防いでいる。
【００４２】
（実施の形態１１）
本発明に係る第１１の実施の形態の信号波形図を図１３に示す。
【００４３】
本実施の形態は、最初は信号１の入力がなく信号２のみが入力されているとき、つまり信号２の動作を行なうときに、信号２が切断されるとほぼ同時に信号１の入力が開始される場合を示している。このときは、信号１の入力開始と同時に信号１の制御に移行することにより、利用者に不安を与えない様にしている。
【００４４】
（実施の形態１２）
本発明に係る第１２の実施の形態の信号波形図を図１４に示す。
【００４５】
本実施の形態は、最初は信号２の入力がなく信号１のみが入力されているとき、つまり信号１の動作を行なうときに、信号１が切断されるとほぼ同時に信号２の入力が開始される場合を示している。このときは、信号２の入力開始と同時に信号２の制御に移行することにより、利用者に不安を与えない様にしている。
【００４６】
【発明の効果】
請求項１乃至請求項４に記載の発明によれば、専用信号とＤＭＸ５１２信号との双方の信号が入力可能なＩ／Ｆユニットにおいて、Ｉ／Ｆユニットへの入力信号が動作途中で切断された場合や、途中で新たな信号が入力された場合などの信号状態の変化に対応することが可能で、利用者に不快感を与えない照明装置を提供することができる。
ＤＭＸ信号よりも低速である専用信号１が切断されると、この場合には、比較的小規模な空間で利用されることが多いため、照明器具４の光源６を全点灯させ、利用者に不安を与えない様にしている。
ＤＭＸ５１２信号が切断されると、この場合は、上述の様に、宴会場などの比較的大規模な空間で利用されることが多いため、照明器具４の光源６を点灯させると、瞬時に大電流が流れブレーカが落ちるなどの障害が発生する可能性があるが、照明器具４の光源６を消灯させ、ブレーカが落ちるなどの障害の発生を防いでいる。
【図面の簡単な説明】
【図１】本発明に係る基本構成のブロック図を示す。
【図２】本発明に係るフローチャートを示す。
【図３】本発明に係る第１の実施の形態の信号波形図を示す。
【図４】本発明に係る第２の実施の形態の信号波形図を示す。
【図５】本発明に係る第３の実施の形態の信号波形図を示す。
【図６】本発明に係る第４の実施の形態の信号波形図を示す。
【図７】本発明に係る第５の実施の形態の信号波形図を示す。
【図８】本発明に係る第６の実施の形態の信号波形図を示す。
【図９】本発明に係る第７の実施の形態の信号波形図を示す。
【図１０】本発明に係る第８の実施の形態の信号波形図を示す。
【図１１】本発明に係る第９の実施の形態の信号波形図を示す。
【図１２】本発明に係る第１０の実施の形態の信号波形図を示す。
【図１３】本発明に係る第１１の実施の形態の信号波形図を示す。
【図１４】本発明に係る第１２の実施の形態の信号波形図を示す。
【符号の説明】
１    専用コントローラ
２    調光卓
３    インターフェース
６    光源
【図１】
0003890680.tif 000002
【図２】
0003890680.tif 000003
【図３】
0003890680.tif 000004
【図４】
0003890680.tif 000005
【図５】
0003890680.tif 000006
【図６】
0003890680.tif 000007
【図７】
0003890680.tif 000008
【図８】
0003890680.tif 000009
【図９】
0003890680.tif 000010
【図１０】
0003890680.tif 000011
【図１１】
0003890680.tif 000012
【図１２】
0003890680.tif 000013
【図１３】
0003890680.tif 000014
【図１４】
0003890680.tif 000015